(57)【要約】      誘導電力レシーバが、調節された電力出力を電気負荷に供給するために提示される。レシーバは、誘導電力伝送器と誘導的に連結して誘導伝送システムを形成する。レシーバ側のレギュレータが、誘導伝送システムの出力電圧を調節するために設けられる。誘導電圧の振幅が制御されるように、レギュレータは共振変更構成要素および共振変更構成要素を受付回路に選択的に接続するように構成されるスイッチユニットを有する。【選択図】  図３
2013506399.tif 000002
【特許請求の範囲】
【請求項１】
誘導電力伝送器と誘導的に連結して誘導伝送システムを形成するように構成される受付回路を有する誘導電力レシーバであって、前記受付回路が、
前記誘導電力伝送器と関連付けられる一次インダクタと誘導的に連結するように構成される少なくとも１個の二次インダクタと、
前記受付回路の出力電圧を調節するように構成されるレギュレータと、を備え、
前記レギュレータが、
少なくとも１個の共振変更構成要素と、
前記共振変更構成要素を前記受付回路に選択的に接続するように構成される少なくとも１個のスイッチユニットと、を備えることを特徴とする誘導電力レシーバ。
【請求項２】
前記誘導伝送システムが第１の共振周波数を有し、および、前記誘導電力伝送器が前記第１の共振周波数と有意に異なる伝送周波数で前記一次インダクタ両端に駆動電圧を生成することを特徴とする請求項１に記載の誘導電力レシーバ。
【請求項３】
前記伝送周波数が前記第１の共振周波数より高いことを特徴とする請求項２に記載の誘導電力レシーバ。
【請求項４】
前記伝送周波数が前記第１の共振周波数より低いことを特徴とする請求項２に記載の誘導電力レシーバ。
【請求項５】
前記共振変更構成要素が前記受付回路に接続される時、前記誘導伝送システムが第２の共振周波数を有することを特徴とする請求項２に記載の誘導電力レシーバ。
【請求項６】
前記伝送周波数が前記第１の共振周波数と比べて前記第２の共振周波数に近いように、前記共振変更構成要素が選ばれることを特徴とする請求項５に記載の誘導電力レシーバ。
【請求項７】
前記第２の共振周波数が前記第１の共振周波数より高いように、前記共振変更構成要素が選ばれることを特徴とする請求項５に記載の誘導電力レシーバ。
【請求項８】
前記第１の共振周波数が前記第２の共振周波数より高いように、前記共振変更構成要素が選ばれることを特徴とする請求項５に記載の誘導電力レシーバ。
【請求項９】
前記共振変更構成要素がキャパシタを備えることを特徴とする請求項１ないし８のうちいずれか一項に記載の誘導電力レシーバ。
【請求項１０】
前記共振変更構成要素がインダクタを備えることを特徴とする請求項１ないし８のうちいずれか一項に記載の誘導電力レシーバ。
【請求項１１】
前記共振変更構成要素が前記二次インダクタと並列に選択的に接続可能なキャパシタを備えることを特徴とする請求項１ないし８のうちいずれか一項に記載の誘導電力レシーバ。
【請求項１２】
前記スイッチユニットが少なくとも１個の電力ＭＯＳＦＥＴを備えることを特徴とする請求項１ないし１１のうちいずれか一項に記載の誘導電力レシーバ。
【請求項１３】
前記出力電圧が閾値未満の時、前記スイッチユニットが前記共振変更構成要素を接続するように構成されることを特徴とする請求項１ないし１１のうちいずれか一項に記載の誘導電力レシーバ。
【請求項１４】
少なくとも１つの基準値と両端の前記出力電圧を比較するように構成されるコンパレータを更に備える請求項１ないし１１のうちいずれか一項に記載の誘導電力レシーバ。
【請求項１５】
前記出力電圧が第１の基準値未満の時、前記スイッチユニットが前記共振変更構成要素を前記レシーバ回路に接続するように構成されることを特徴とする請求項１４に記載の誘導電力レシーバ。
【請求項１６】
前記出力電圧が前記第１の基準値より上の時、前記スイッチユニットが前記レシーバ回路から前記共振変更構成要素を切り離すように構成されることを特徴とする請求項１５に記載の誘導電力レシーバ。
【請求項１７】
前記出力電圧が第２の基準値より高い時、前記レギュレータが前記二次インダクタを前記レシーバ回路から切り離すように更に構成されることを特徴とする請求項１４に記載の誘導電力レシーバ。
【請求項１８】
前記出力電圧が前記第２の基準値より低い時、前記レギュレータが前記二次インダクタを前記レシーバ回路に接続するように更に構成されることを特徴とする請求項１５に記載の誘導電力レシーバ。
【請求項１９】
誘導電力伝送システムの受付回路からの出力電圧を調節するための一方法であって、前記方法が以下のステップ、すなわち
ステップ（ａ）−前記誘導電力伝送システムの第１の共振周波数と異なる伝送周波数で一次インダクタを駆動するステップ、
ステップ（ｂ）−前記受付回路と関連付けられる二次インダクタ両端に二次電圧を誘導するステップ、
ステップ（ｃ）−前記受付回路からの前記出力電圧を監視するステップ、
ステップ（ｄ）−第１の基準値と前記出力電圧を比較するステップ、および
ステップ（ｅ）−前記出力電圧が前記第１の基準値未満であるならば、前記誘導電力伝送システムの前記共振周波数が、前記伝送周波数により近くシフトするように、共振変更構成要素を前記受付回路に接続するステップ、を含む方法。
【請求項２０】
請求項１９に記載の方法であって、追加的なステップ、すなわち
ステップ（ｆ）−前記出力電圧が第２の基準値より上であるならば、前記二次インダクタを前記受付回路から切り離すステップ、を更に含む方法。
【請求項２１】
請求項１９または２０に記載の方法であって、追加的なステップ、すなわち
ステップ（ｇ）−前記出力電圧が前記第１の基準値に等しい時、前記共振変更構成要素を前記受付回路から切り離すステップ、を更に含む方法。
【請求項２２】
請求項１９ないし２１のうちいずれか一項に記載の方法であって、追加的なステップ、すなわち
ステップ（ｈ）−前記出力電圧が前記第２の基準値に等しい時、前記受付回路から前記二次インダクタを再接続するステップ、を更に含む方法。
【請求項２３】
請求項１ないし１８のうちいずれか一項に記載の誘導電力レシーバを組み込む電気装置。
【請求項２４】
電話、メディアプレーヤ、ＰＤＡ、ウォークマン（登録商標）、ポータブル音楽プレーヤ、ディクタフォン、ポータブルＤＶＤプレーヤ、モバイル通信装置、スタンド式ランプ、ビデオレコーダ、ＤＶＤプレーヤ、文書細断機、扇風機、複写機、コンピュータ、プリンタ、調理機器、冷蔵庫、フリーザ、洗濯機、衣類乾燥機、重機、デスクランプ、環境照明ユニット、換気扇、無線電話、スピーカ、スピーカーホン、電話会議ベースユニット、電気鉛筆削り、電気ホッチキス、表示装置、電子ピクチャーフレーム、ＶＤＵ、プロジェクタ、テレビ、ビデオプレーヤ、ステレオ装置、計算機、スキャナ、ファックス装置、ホットプレート、電気加熱マグ、携帯電話、ヘアドライヤ、シェーバ、洗顔器、脱毛器、ヒータ、ワックス溶かし器、ヘアカーラー、顎髭トリッパ、体重計、照明およびラジオ、卵泡立て器、パン焼き器、ミキサー、オレンジジュース絞り器、野菜ジューサ、フードプロセッサ、電気ナイフ、トースタ、サンドイッチトースタ、ワッフルメーカー、電気バーベキューグリル、スロークッカー、ホットプレート、ディープフライヤ、電気フライパン、包丁研ぎ器、家庭用滅菌器、湯沸かし器、コーヒー沸かし器、ラジオ、カセットプレーヤ、ＣＤプレーヤおよび電気缶切り、ポップコーンメーカーおよび磁気撹拌器からなるグループから選択される請求項２３に記載の電気装置。
【請求項２５】
誘導電力伝送器と誘導的に連結して誘導伝送システムを形成するように構成される受付回路を有する誘導電力レシーバであって、前記受付回路が、
前記誘導電力伝送器と関連づけられる一次インダクタと誘導的に連結するように構成される少なくとも１個の二次インダクタと、
前記受付回路の出力電圧を調節するように構成されるレギュレータと、
前記一次インダクタ中の電流が円滑な半サイン波プロフィールを有するように、二次インダクタの端子両端に接続されるキャパシタンス素子と、を備える誘導電力レシーバ。
【請求項２６】
前記レギュレータが少なくとも１個のステップダウンＤＣ／ＤＣコンバータを備えることを特徴とする請求項２５に記載の誘導電力レシーバ。
【請求項２７】
前記レギュレータが少なくとも１個のＯリングダイオードを備えることを特徴とする請求項２５または請求項２６に記載の誘導電力レシーバ。
【発明の詳細な説明】
【技術分野】
【０００１】
本発明は、非接触型電力伝送システムの電力の調節に関する。より詳しくは、本発明は誘導電力伝送システムのレシーバ側の電力調節に関する。
【背景技術】
【０００２】
誘導電力伝送システムは、一般的なプラグおよびソケット電力接続の都合がいい電力供給代替物である。誘導電力伝送は、何の接続ワイヤもなしで誘導電力アウトレットから誘導電力レシーバまで電力が伝送されることを可能にする。
【０００３】
振動電位または駆動電圧が、誘導電力アウトレットと関連付けられる一次インダクタ両端に印加される。これは、一次インダクタの付近で変化する磁界を生成する。誘導レシーバが誘導アウトレットの近くにもたらされる時、二次電位差または出力電圧がこの変化する磁界内に配置される二次インダクタ両端に生成される。出力電圧は、二次インダクタに配線される電気装置を充電するかまたは電力を供給するために使用されることができる。
【０００４】
電気装置に対する安定動作電圧を維持するために、二次インダクタからの出力電圧を調節することが必要である。出力電圧の調節は、出力電圧を監視し、レシーバからアウトレットにフィードバック信号を供給し、かつそれに応じて駆動電圧を制御することによって与えられることができる。この種のシステムは、レシーバとアウトレットとの間でフィードバック信号を伝送するための通信路に依存する。種々の通信システムが無線フィードバックを与えるように提案されてきたとはいえ、信号通信路は一般に大きくて非効率的であるかもしれない追加的構成要素を要求する。
【０００５】
調節システムが、レシーバ側の調節素子の使用によってこの種の通信路に対する必要性を回避することができる。二次電圧が変化する時、種々のレシーバ側の調節素子が出力電圧を安定させるために使用されることができる。この種の素子は、バックコンバータ、ＬＤＯおよび負荷と並列に配線される逆バイアスツェナーダイオードを含む。しかしながら、これらの調節素子が一般的に大きい構成要素を含み、それによって誘導レシーバの最小寸法を増大することに留意される。
【０００６】
さらに、上にリストされたもののような、レシーバ側の調節素子は一般に二次インダクタ両端に誘導される二次電圧が必要出力電圧より高いことを必要とする。従って、この種のレシーバ側の調節システムは本質的に非効率的でかつ一般的に電力レシーバ内に有意な熱を生成する。
【０００７】
既知のレシーバ側の調節システムによって生成される熱と関連付けられる複数の課題がある。熱は、総合効率を低下させるかもしれず、かつまた構成要素の信頼性を低下させるかもしれない高い温度を生成する。一般的にこの課題を克服するために多くの設計努力が必要とされ、および、システムの寸法のような他の要因がその結果損なわれるかもしれない。
【先行技術文献】
【特許文献】
【０００８】
【特許文献１】米国特許出願第１２／４９７，０８８号明細書
【特許文献２】米国特許出願第１２／５６３，５４４号明細書
【発明の概要】
【発明が解決しようとする課題】
【０００９】
それゆえに、誘導電力レシーバとともに用いられるエネルギー効率的なレシーバ側の調節システムに対する必要性が残る。本願明細書に記載されている実施態様が、この必要性に対処する。
【課題を解決するための手段】
【００１０】
誘導電力伝送器と誘導的に連結して誘導伝送システムを形成するように構成される受付回路であって、誘導電力伝送器と関連付けられる一次インダクタと誘導的に連結するように構成される少なくとも１個の二次インダクタを備える受付回路と、受付回路の出力電圧を調節するように構成されるレギュレータと、を有し、このレギュレータが、少なくとも１個の共振変更構成要素と、この共振変更構成要素を受付回路に選択的に接続するように構成される少なくとも１個のスイッチユニットと、を備えることを特徴とする誘導電力レシーバの実施態様が、本願明細書で提示される。
【００１１】
任意選択で、誘導伝送システムが第１の共振周波数を有し、および、誘導電力伝送器が第１の共振周波数と有意に異なる伝送周波数で一次インダクタ両端に駆動電圧を生成する。一般的に、伝送周波数は第１の共振周波数より高い。あるいは、伝送周波数は第１の共振周波数より低い。
【００１２】
一般に、共振変更構成要素が受付回路に接続される時、誘導伝送システムは第２の共振周波数を有する。一般的に、伝送周波数が第１の共振周波数と比べて第２の共振周波数に近いように、共振変更構成要素が選ばれる。任意選択で、第２の共振周波数が第１の共振周波数より高いように、共振変更構成要素が選ばれることができる。あるいは、第１の共振周波数が第２の共振周波数より高いように、共振変更構成要素が選ばれることができる。
【００１３】
種々の実施態様によれば、共振変更構成要素がキャパシタを備える。他の実施態様によれば、共振変更構成要素がインダクタを備える。任意選択で、共振変更構成要素が二次インダクタと並列に選択的に接続可能なキャパシタを備える。
【００１４】
任意選択で、スイッチユニットが少なくとも１個の電力ＭＯＳＦＥＴを備える。一般的に、出力電圧が閾値未満の時、スイッチユニットが共振変更構成要素を接続するように構成される。
【００１５】
誘導電力レシーバのいくつかの実施態様が、少なくとも１つの基準値と両端の出力電圧を比較するように構成されるコンパレータを含む。したがって、出力電圧が第１の基準値未満の時、スイッチユニットが共振変更構成要素をレシーバ回路に接続するように構成されることができる。一般的に、出力電圧が第１の基準値より上の時、スイッチユニットがレシーバ回路から共振変更構成要素を切り離すように構成される。任意選択で、出力電圧が第２の基準値より高い時、レギュレータが二次インダクタをレシーバ回路から切り離すように更に構成されることができる。したがって、出力電圧が第２の基準値より低い時、レギュレータが二次インダクタをレシーバ回路に接続するように更に構成される。
【００１６】
誘導電力伝送システムの受付回路からの出力電圧を調節するための一方法が教示され、この方法が以下のステップ、すなわち
ステップ（ａ）−誘導電力伝送システムの第１の共振周波数と異なる伝送周波数で一次インダクタを駆動するステップ、
ステップ（ｂ）−受付回路と関連付けられる二次インダクタ両端に二次電圧を誘導するステップ、
ステップ（ｃ）−受付回路からの出力電圧を監視するステップ、
ステップ（ｄ）−第１の基準値と出力電圧を比較するステップ、および
ステップ（ｅ）−出力電圧が第１の基準値未満であるならば、誘導電力伝送システムの共振周波数が、伝送周波数により近くシフトするように、共振変更構成要素を受付回路に接続するステップ、を含む。
【００１７】
さまざまに、この方法は追加的なステップ、すなわち、ステップ（ｆ）−出力電圧が第２の基準値より上であるならば、二次インダクタを受付回路から切り離すステップ、ステップ（ｇ）−出力電圧が第１の基準値に等しい時、共振変更構成要素を受付回路から切り離すステップ、およびステップ（ｈ）−出力電圧が第２の基準値に等しい時、受付回路から二次インダクタを再接続するステップ、の少なくとも１つを更に含むことができる。
【００１８】
他の実施態様によれば、誘導電力レシーバを組み込む電気装置が提示される。さまざまに、この電気装置が以下からなるグループから選択されることができる：電話、メディアプレーヤ、ＰＤＡ、ウォークマン、ポータブル音楽プレーヤ、ディクタフォン、ポータブルＤＶＤプレーヤ、モバイル通信装置、スタンド式ランプ、ビデオレコーダ、ＤＶＤプレーヤ、文書細断機、扇風機、複写機、コンピュータ、プリンタ、調理機器、冷蔵庫、フリーザ、洗濯機、衣類乾燥機、重機、デスクランプ、環境照明ユニット、換気扇、無線電話、スピーカ、スピーカーホン、電話会議ベースユニット、電気鉛筆削り、電気ホッチキス、表示装置、電子ピクチャーフレーム、ＶＤＵ、プロジェクタ、テレビ、ビデオプレーヤ、ステレオ装置、計算機、スキャナ、ファックス装置、ホットプレート、電気加熱マグ、携帯電話、ヘアドライヤ、シェーバ、洗顔器、脱毛器、ヒータ、ワックス溶かし器、ヘアカーラー、顎髭トリッパ、体重計、照明およびラジオ、卵泡立て器、パン焼き器、ミキサー、オレンジジュース絞り器、野菜ジューサ、フードプロセッサ、電気ナイフ、トースタ、サンドイッチトースタ、ワッフルメーカー、電気バーベキューグリル、スロークッカー、ホットプレート、ディープフライヤ、電気フライパン、包丁研ぎ器、家庭用滅菌器、湯沸かし器、コーヒー沸かし器、ラジオ、カセットプレーヤ、ＣＤプレーヤおよび電気缶切り、ポップコーンメーカーおよび磁気撹拌器など。
【００１９】
別の誘導電力レシーバが提示され、誘導電力伝送器と誘導的に連結して誘導伝送システムを形成するように構成される受付回路であって、誘導電力伝送器と関連づけられる一次インダクタと誘導的に連結するように構成される少なくとも１個の二次インダクタを備える受付回路と、受付回路の出力電圧を調節するように構成されるレギュレータと、一次インダクタ中の電流が円滑な半サイン波プロフィールを有するように、二次インダクタの端子両端に接続されるキャパシタンス素子と、を有する。任意選択で、レギュレータは少なくとも１個のステップダウンＤＣ／ＤＣコンバータを備えることができる。さらにまたは代わりに、レギュレータは少なくとも１個のＯリングダイオードを備えることができる。
【図面の簡単な説明】
【００２０】
本発明のより良い理解のためにおよびそれがどのように実行に移されることができるかを示すために、単に例証として添付の図面に、参照がここでなされる。
【００２１】
次に詳細に図面に対する特定の参照によって、強調されるのは、示される詳細は、例として、および、例証となる議論のためだけにあり、ならびに、本実施態様の原理および概念上の態様の最も役立って容易に理解される記述であると信じられることを提供するために提示されることである。この点に関しては、基本理解のために必要であるより、より詳細に実施態様の構造細部を示すために何の試みもなされず、本発明のいくつかの形態が実際問題としてどのように具体化されることができるかを当業者に明らかにする図面とともに記述がなされる。添付の図面において：
【００２２】
【図１ａ】第１の実施態様に従う非接触型電力伝送システムに用いられる誘導電力伝送器を示す。
【図１ｂ】第１の実施態様に従う非接触型電力伝送システムに用いられる誘導電力レシーバを示す。
【図１ｃ】誘導電力レシーバの他の実施態様に従う代替誘導電力アダプタを示す。
【図１ｄ】誘導電力レシーバの他の実施態様に従う代替誘導電力アダプタを示す。
【図１ｅ】誘導電力レシーバの他の実施態様に従う代替誘導電力アダプタを示す。
【図２ａ】更なる実施態様に従うレシーバ側のレギュレータを含む誘導電力伝送システムの実施態様の主構成要素を示すブロック図である。
【図２ｂ】更なる実施態様に従うレシーバ側のレギュレータを含む誘導電力伝送システムの実施態様の主構成要素を示すブロック図である。
【図３】例示的な実施態様に従う電力受付回路に導入されることができる共振変更構成要素を含む誘導電力伝送システムの主要電気構成要素の概略ブロック図である。
【図４】例示的な実施態様の二次インダクタの出力電圧が、接続される共振変更構成要素の有無で伝送周波数によってどのように変化するかについて示すグラフである。
【図５】別の実施態様に従う誘導電力伝送システムの伝送器およびレシーバ回路を表す回路図である。
【図６】さらに別の実施態様に従うレシーバに基づくレギュレータを使用して誘導電力伝送を調節するための一方法の流れ図である。
【図７】レシーバ側のレギュレータを含む一定周波数誘導電力伝送システムの主要電気構成要素を示すブロック図である。および
【図８】レシーバ側のレギュレータを含む誘導電力伝送システムの更なる例を代表するモデル回路図である。
【発明を実施するための形態】
【００２３】
第１の実施態様に従う誘導電力伝送システム１００を示す図１ａおよび１ｂをここで参照する。伝送システム１００は、誘導電力アウトレット２００および誘導電力レシーバ３００を含む。誘導電力アウトレット２００は、電磁誘導を使用して無線で誘導電力レシーバ３００に電力を伝送するように構成される。
【００２４】
第１の実施態様の誘導電力アウトレット２００は、プラットフォーム２０２内に組み込まれる４個の一次インダクタ２２０ａ−ｄから成る。誘導電力レシーバ３００は、携帯電話３４２を収容するためのケース３０２内に組み込まれる二次インダクタ３２０を含む。携帯電話３４２がケース３０２内に配置される時、電力コネクタ３０４が携帯電話３４２と二次インダクタ３２０を電気的に接続する。図１ａに示すように、二次インダクタ３２０が一次インダクタ２２０ｂと誘導的に連結するように、誘導電力レシーバ３００が一次インダクタのうちの１個２２０ｂと位置合わせしてプラットフォーム２０２上に配置されることができる。
【００２５】
代替実施態様において、誘導電力レシーバが、別の方法で構成される、例えば電池を充電するためにパワーパック内に組み込まれるか、または直接この種の負荷に電力を供給するために電気負荷に直接配線されることができることに留意される。誘導電力レシーバのさらに他の実施態様では、専用の誘導電力アダプタが、アダプタに配線されることができるかまたは導電性ピンおよびソケットコネクタ経由で接続可能であることができる電力ケーブルによって電気装置に接続するために設けられる。
【００２６】
図１ｃ、１ｄおよび１ｅは、誘導電力レシーバ３００の実施態様に従う３個の代替電力アダプタ１３００ａ−ｃを示す。図１ｃは、結線で接続された電力ケーブル１３１０ａ経由でコンピュータ１３４０ａに接続される第１の誘導電力アダプタ１３００ａを示す。第１の誘導電力アダプタ１３００ａは、二次インダクタ１３２０経由で誘導電力伝送器２００から電力を引き出す。図１ｄは、白熱電球１３４０ｂに誘導的に電力を供給するために照明器具取付け部品１３１０ｂに結線で接続された第２の誘導電力アダプタ１３００ｂを示す。図１ｅは、従来の幹線タイプの電力ソケット１３１０ｃが従来の電力プラグ経由で外部電気装置（図示せず）に接続するために設けられる第３の誘導電力アダプタ１３００ｃをさらに示す。
【００２７】
理解されるであろうことは、誘導電力レシーバの種々の実施態様が、種々の電気装置にアダプタ経由で、または誘導レシーバを通して直接電気装置に、のどちらかで電力を供給するために使用されることができることである。したがって、例えば、誘導レシーバはメディアプレーヤ、ポータブル音楽プレーヤ、ビデオレコーダ、ＤＶＤプレーヤ、ポータブルＤＶＤプレーヤ、ラジオ、カセットプレーヤ、ウォークマン（登録商標）、ＣＤプレーヤ、テレビ、ビデオプレーヤ、ステレオ装置などのような娯楽機器に電力を供給するために使用されることができる。    
【００２８】
加えて、誘導レシーバは仕事環境で、コンピュータ、電話、ＰＤＡ、ディクタフォン、モバイル通信装置、スタンド式ランプ、文書細断機、扇風機、複写機、プリンタ、デスクランプ、無線電話、携帯電話、スピーカ、スピーカーホン、電話会議ベースユニット、電気鉛筆削り、電気ホッチキス、表示装置、電子ピクチャーフレーム、ＶＤＵ、プロジェクタ、計算機、スキャナ、ファックス装置、同じく重機などのようなオフィス機器に電力を供給するために使用されることができる。
【００２９】
何の導電接続も必要とされないので、誘導電力伝送は湿った環境で用いられるのに特に適している。したがって、実施態様によっては、誘導電力レシーバは、調理機器、冷蔵庫、フリーザ、洗濯機、衣類乾燥機、環境照明ユニット、換気扇、ホットプレート、電気加熱マグ、卵泡立て器、パン焼き器、ミキサー、オレンジジュース絞り器、野菜ジューサ、フードプロセッサ、電気ナイフ、トースタ、サンドイッチトースタ、ワッフルメーカー、電気バーベキューグリル、スロークッカー、ホットプレート、ディープフライヤ、電気フライパン、包丁研ぎ器、家庭用滅菌器、湯沸かし器、コーヒー沸かし器および電気缶切り、ポップコーンメーカーおよび磁気撹拌器などのようなキッチン内に使用される装置に電力を供給するために使用されることができる。
【００３０】
誘導電力レシーバは、ヘアドライヤ、シェーバ、洗顔器、脱毛器、ヒータ、ワックス溶かし器、ヘアカーラー、顎髭トリッパ、体重計、照明およびラジオなどのような浴室環境で一般に使用される装置に電力を供給するのに同様に適している。
【００３１】
次に図２ａを参照して、この種の誘導電力伝送システム１００の主構成要素を代表するブロック図が示される。電力伝送の調節が、誘導電力レシーバ３００内のレギュレータ３５０によって少なくとも部分的に制御されることが特定の特徴である。
【００３２】
誘導電力アウトレット２００は、ドライバ２３０経由で電源２４０に配線される一次インダクタ２２０を含む。ドライバ２３０は一般的に、一次インダクタ２２０に振動電位を供給するためのスイッチユニット、インバータなどのような電子構成要素を含む。一次インダクタ２２０両端の振動電位が、その付近に振動磁界を生成する。
【００３３】
誘導電力レシーバ３００は、一般的に整流器３３０経由で、電気負荷３４０に配線される二次インダクタ３２０を含む。能動一次インダクタ２２０の振動磁界内に配置される時、二次電圧が二次インダクタ３２０両端に誘導されるように、二次インダクタ３２０が構成される。二次電圧は、電気負荷３４０に電力を供給するために使用されることができる。二次インダクタ３２０両端に誘導された二次電圧が交流（ＡＣ）を生成することに留意される。電気負荷３４０が、電気化学セルを充電するためのような直流（ＤＣ）を必要とするところで、整流器３３０がＡＣをＤＣに変換するために設けられる。幹線タイプ出力を供給するために使用される誘導電力アダプタ１３００ｃ（図１ｅ）におけるようなＡＣ出力が必要とされるところで、インバータ、ＡＣ−ＡＣ電圧コンバータなど（図示せず）が更に設けられることができる。
【００３４】
レシーバ側のレギュレータ３５０は、二次インダクタ３２０によって生成される出力電圧を直接監視して電気負荷３４０によって必要とされる動作電圧と監視出力値を比較するように構成される。レギュレータ３５０は、誘導伝送システム１００の共振周波数を調整することによって監視出力電圧を電気負荷３４０の必要動作電圧により近くもたらすように更に構成される。任意選択で、レギュレータ３５０は更に、温度、電流などのような、追加的な動作パラメータを監視するように構成されることができる。
【００３５】
次に図２ｂを参照して、誘導電力伝送システム１００’の選択された実施態様において、信号伝送システム４００が誘導電力レシーバ３００’と誘導電力アウトレット２００’との間に信号を通すために設けられる。信号伝送システム４００は、誘導電力レシーバ３００’と関連付けられる信号エミッタ４２０および誘導電力アウトレット２００’と関連付けられる信号検出器４４０を含む。光学、誘導、超音波信号エミッタなどおよびそれらの関連づけられた検出器の組合せ、同じく参照として本願明細書に引用したものとする、出願人の同時継続の米国特許出願、（特許文献１）および（特許文献２）にて説明したようなコイル間信号伝送システムのような種々の信号伝送システムが使用されることができる。
【００３６】
レシーバ側のレギュレータ３５０は、誘導電力伝送器２００’に動作パラメータを伝達するために信号伝送システム４００を利用することができる。伝送器側のレギュレータ２５０が、信号検出器４４０からのフィードバック信号を受信するために、かつそれに応じて駆動電圧を一次インダクタ２２０に合わせるために設けられることができる。一般的に、レシーバ側のレギュレータ３５０は伝送器側のレギュレータ２５０にいかなる信号も全く伝達することなく進行中の微調節を実行することができ、伝送器側のレギュレータ２５０が粗調整のために主に使用される。
【００３７】
さらに、信号伝送システムは加えて、なかでも、電力レシーバ３００’の存在を確認するか、識別符号を伝達するかまたは必要電力伝送パラメータを伝達するためのような、種々の機能用の他の信号を伝達するために使用されることができる。後者は特に複数の電力レベルで機能するのに適しているシステムで役立つ。
【００３８】
例示的な実施態様に従う誘導電力伝送システム１００の電力受付回路の主要電気構成要素の概略ブロック図を示す図３を、ここで、参照する。誘導電力伝送システム１００は、誘導電力伝送器２００および誘導電力レシーバ３００を含む。電力は、誘導電力伝送器２００と関連付けられる一次インダクタ２２０から誘導電力レシーバ３００と関連付けられる二次インダクタ３２０まで誘導的に伝送される。二次インダクタ３２０内に誘導される電圧は、電気負荷３４０に供給される出力電圧Ｖｏｕｔを生成する整流器３３０によって整流化される。
【００３９】
レシーバ側のレギュレータ３５０が誘導電力伝送を制御するために設けられることに特に留意される。レシーバ側のレギュレータ３５０は、コンパレータ３５２、スイッチユニット３５４および共振変更構成要素３５６を含む。コンパレータ３５２は、電気負荷の必要動作電圧を示す値を有する基準電圧Ｖｒｅｆと監視出力電圧Ｖｏｕｔを比較するように構成される。監視出力電圧Ｖｏｕｔと基準電圧Ｖｒｅｆとの間の差異が閾値を上回る時、スイッチユニット３５４は一般的に共振変更構成要素３５６を電力受付回路に接続するように構成される。
【００４０】
共振変更構成要素３５６は、それが電力受付回路に導入される時、誘導電力伝送システム１００の固有共振周波数が変更されるように選ばれる。この種の共振変更構成要素３５６の一例はキャパシタであり、それは誘導電力伝送システム１００の固有共振周波数を増大するために二次インダクタ３２０と並列に受付回路に選択的に接続されることができる。他の共振変更構成要素３５６（図示せず）は、固有共振周波数を低下させるために二次インダクタ３２０と直列に選択的に接続されるキャパシタ、固有共振周波数を増大するために二次インダクタ３２０に接続される補助インダクタなどを含むことができる。特定の実施態様では、複数の共振変更構成要素３５６が共に使用されることができる。
【００４１】
図４は、例示的な実施態様の二次インダクタの出力電圧が動作周波数によってどのように変化するかについて示しているグラフである。動作周波数がシステムの共振周波数ｆＲ、ｆＲ’に等しい時、出力電圧はピークに達する。実線Ａは、接続される何の共振変更構成要素も伴わない受付回路に対する電圧プロファイルを表す。破線Ｂは、システムの共振周波数がｆＲからｆＲ’まで増大するように接続される共振変更構成要素を伴う受付回路に対する電圧プロファイルを表す。例えば、図３に示すように、二次インダクタ３２０と並列にキャパシタを接続することによって、この種の増大は遂行されることができる。
【００４２】
共振を能動的に捜すために共振変更構成要素を使用する従来技術システムと対照的に、伝送周波数ｆｔがシステムの共振周波数ｆＲと異なることがこれらの実施態様の特定の特徴である。システムの共振周波数ｆＲより上の伝送周波数ｆｔに対して、システムの共振周波数を増大することによって出力電圧Ｖｔが増大されることができることに留意される。したがって、並列キャパシタ３５６（図３）のような、共振増大素子が受付回路に導入されるならば、特定の値Ｖｔでの出力電圧がより高い値Ｖｔ’まで上昇することができる。監視出力電圧Ｖｏｕｔが必要動作電圧Ｖｒｅｑより下に低下するときはいつでも、レシーバ側のレギュレータがそれゆえに共振増大素子を接続するように構成されることができる。
【００４３】
それが必要動作電圧Ｖｒｅｑより上に上昇するならば、更なる実施態様が出力電圧Ｖｏｕｔを低下させるための素子を含むことができる。この種の電圧低下素子は、共振減少素子または代わりとして、全体で負荷を出力電圧から断続的に切り離すためのスイッチユニットを含むことができる。
【００４４】
上記の実施態様は、システムの共振周波数ｆｔより高い伝送周波数ｆＲで動作する誘導電力伝送システムに関する。理解されるであろうことは、他の実施態様がシステムの共振周波数ｆｔより低い伝送周波数で動作することができることである。動作周波数が共振周波数ｆＲより低いところで、レギュレータは、出力電圧を増大するために受付回路に共振低下素子を導入してかつ出力電圧を低下させるために受付回路に共振増大素子を導入するように構成されることができる。
【００４５】
本発明の基本的実施態様に従う誘導電力伝送システム５１００の可能な回路図を示す図５を、ここで、参照する。誘導電力伝送システム５１００は、誘導伝送器５２００および誘導レシーバ５３００を含む。誘導伝送器５２００は、一次インダクタ５２２０および駆動ユニット５２３０を含む。誘導レシーバ５３００は、二次インダクタ５３２０、整流器５３３０およびレシーバ側のレギュレータ５３５０を含む。
【００４６】
レシーバ側のレギュレータ５３５０は、コンパレータ５３５２、スイッチユニット５３５４およびキャパシタ５３５６を含む。コンパレータ５３５２は、基準値と整流器５３３０からの出力信号Ｖｏｕｔを比較するように構成される。スイッチユニット５３５４は、ＡＣスイッチとして機能するためにソース間接続された一対の電力ＭＯＳＦＥＴ  Ｍ５、Ｍ６から成る。コンパレータ５３５２の出力は、スイッチユニット５３５４を制御するために電力ＭＯＳＦＥＴのゲート信号に伝達されるデジタル信号に変換される。キャパシタ５３５６は、二次インダクタ５３２０と並列に選択的に接続されて上記の通りに出力電圧を上昇させるためにシステムの固有共振周波数を上昇させる。
【００４７】
電力調節が、図６内に示される流れ図によって代表される一方法に従って制御されることができる。この方法は、以下のステップを含む：ステップ（ａ）−誘導電力伝送システムの第１の共振周波数と有意に異なる伝送周波数で一次インダクタを駆動するステップ、ステップ（ｂ）−受付回路と関連付けられる二次インダクタ両端に二次電圧を誘導するステップ、ステップ（ｃ）−受付回路からの出力電圧を監視するステップ、ステップ（ｄ）−第１の基準値と出力電圧を比較するステップ、ステップ（ｅ）−出力電圧が第１の基準値より下に低下するならば、誘導電力伝送システムの共振周波数が、伝送周波数により近くシフトするように、共振変更構成要素を受付回路に接続するステップ、ステップ（ｆ）−出力電圧が第２の基準値より上に上昇するならば、二次インダクタを受付回路から切り離すステップ、ステップ（ｇ）−出力電圧が第１の基準値に達すると、共振変更構成要素を受付回路から切り離すステップ、およびステップ（ｈ）−出力電圧が第２の基準値に達すると、受付回路から二次インダクタを再接続するステップ。
【００４８】
次にブロック図７を参照して、一定周波数誘導電力伝送システム７１００の主要電気構成要素がレシーバ側のレギュレータ７３５０を含んで示される。誘導電力伝送器７２００および誘導電力レシーバ７３００を含む誘導電力伝送システム７１００が、一定周波数で動作するように構成される。動作周波数が、レシーバユニット７３００の固有周波数であるように選ばれることができる。
【００４９】
誘導電力レシーバ７３００は、二次インダクタ７３２０、ステップダウンＤＣ／ＤＣコンバータ７５３２およびＯリングダイオード７３５４を含む。二次インダクタ７３２０は、Ｏリングダイオード７３５４によって更に安定化される定電圧出力を維持するように構成されるステップダウンＤＣ／ＤＣコンバータ７３５２に接続される。
【００５０】
誘導電力伝送器７２００は、一次インダクタ７２２０、ドライバユニット７２３０および有効化ユニット７２５０を含む。有効化ユニット７２５０は、ホールスイッチ７２５２、パック（レシーバ）識別ユニット７２５４および充電終了コントローラ７２５６を備える。ホールスイッチ７２５２は、受信ユニット７３００と関連付けられる磁気素子の存在を検出して信号をパック識別ユニット７２５４に送信するように構成され、それ（７２５４）が次いで活性化信号をドライバユニット７２３０に送信する。何の更なる電力も受信ユニットによって必要とされない時、充電終了コントローラ７２５６が駆動ユニット７２３０を非活性化するように構成される。別々のユニットがこれらの素子の各々に対して示されているとはいえ、必要に応じて、単一マイクロコントローラが複数の機能を有するように設けられることができる。例えば、単一マイクロコントローラがパック識別および充電終了制御機能、同じく、動作周波数でドライバへのパルス信号を与えることができる。
【００５１】
ドライバユニット７２３０は、ＥＭＣフィルタ７２３２、突入電流ユニット７２３４およびコンバータ７２３６を含む。パック識別ユニット７２５４からの活性化信号が、できる限り線形に、零からそれが入力電圧に達するまで、一次インダクタ７２２０に対する電圧を徐々に増大するソフトスタートを開始するように突入電流ユニット７２３４をトリガーすることができることが、このドライバユニットの特定の特徴である。
【００５２】
更なる基本的誘導電力伝送システムの可能な回路図を示す図８を、ここで、参照する。誘導電力伝送システム８１００は、誘導伝送器８２００および誘導レシーバ８３００を含む。誘導伝送器８２００は、一次インダクタ８２２０、突入電流ユニット８２３４および駆動ユニット８２３０を含む。誘導レシーバ８３００は、二次インダクタ８３２０、キャパシタンス素子８３１０、整流器８３３０およびレシーバ側のレギュレータ８３５０を含む。レシーバ側のレギュレータ８３５０は、ステップダウンＤＣ／ＤＣコンバータ８５３２ユニットおよびＯリングダイオードユニット８３５４を含む。
【００５３】
キャパシタンス素子８３１０は、二次インダクタ８３２０と並列に接続されて一次インダクタ８２２０を通して流れる一次電流に半サイン波形状を生成するように構成される。一次インダクタ８２２０の半サイン波形状が何の突然のスイッチングも伴わない円滑なプロフィールを有することに特に留意される。それゆえに、段階状の信号プロフィールと一般的に関連付けられるより少ない電磁障害（ＥＭＩ）が生成される。従って、誘導伝送システム８１００は段階状のプロフィールを有するシステムと比べて全体としてより効率的である。さらに、一次インダクタ８２２０および二次インダクタ８３２０の巻線の巻数がそれによって減少されることができることに留意される。
【００５４】
本発明の有効範囲は、添付の特許請求の範囲によって規定され、かつ先に記載されているさまざまな特徴の組合せおよび副組合せ、同じくその変形例および変更態様を含み、それは、上記の記述を読み込むと即座に、当業者に思いつくであろう。
【００５５】
請求項において、語「備える（ｃｏｍｐｒｉｓｅ）」、および、「備える（ｃｏｍｐｒｉｓｅｓ）」、「備えた（ｃｏｍｐｒｉｓｉｎｇ）」などのようなその変形はリストされた構成要素が含まれることを示唆するが、しかし、一般に他の構成要素の除外を示唆しない。
【符号の説明】
【００５６】
１００、１００’  誘導電力伝送システム
２００、２００’  誘導電力アウトレット  誘導電力伝送器
２０２  プラットフォーム
２２０、２２０ａ−ｄ  一次インダクタ
２３０  ドライバ
２４０  電源
２５０  レギュレータ
３００、３００’  誘導電力レシーバ
３０２  ケース
３０４  電力コネクタ
３２０  二次インダクタ
３３０  整流器
３４０  電気負荷
３４２  携帯電話
３５０  レギュレータ
３５２  コンパレータ
３５４  スイッチユニット
３５６  共振変更構成要素
４００  信号伝送システム
４２０  信号エミッタ
４４０  信号検出器
１３００ａ−ｃ  電力アダプタ
１３１０ａ  電力ケーブル
１３１０ｂ  照明器具取付け部品
１３１０ｃ  電力ソケット
１３２０  二次インダクタ
１３４０ａ  コンピュータ
１３４０ｂ  白熱電球
５１００  誘導電力伝送システム
５２００  誘導伝送器
５２２０  一次インダクタ
５２３０  駆動ユニット
５３００  誘導レシーバ
５３２０  二次インダクタ
５３３０  整流器
５３５０  レギュレータ
５３５２  コンパレータ
５３５４  スイッチユニット
５３５６  キャパシタ
７１００  誘導電力伝送システム
７２００  誘導電力伝送器
７２２０  一次インダクタ
７２３０  ドライバユニット
７２３２  ＥＭＣフィルタ
７２３４  突入電流ユニット
７２３６  コンバータ
７２５０  有効化ユニット
７２５２  ホールスイッチ
７２５４  パック識別ユニット
７２５６  充電終了コントローラ
７３００  誘導電力レシーバ  受信ユニット
７３２０  二次インダクタ
７３５０  レギュレータ
７５３２  ステップダウンＤＣ／ＤＣコンバータ
７３５４  Ｏリングダイオード
８１００  誘導電力伝送システム
８２００  誘導伝送器
８２２０  一次インダクタ
８２３４  突入電流ユニット
８２３０  駆動ユニット
８３００  誘導レシーバ
８３２０二次インダクタ
８３１０  キャパシタンス素子
８３２０  二次インダクタ
８３３０  整流器
８３５０  レギュレータ
８５３２  ステップダウンＤＣ／ＤＣコンバータ
８３５４  Ｏリングダイオードユニット
ｆＲ、ｆＲ’  共振周波数
ｆｔ  伝送周波数
Ｍ５、Ｍ６  電力ＭＯＳＦＥＴ
Ｖｏｕｔ  出力電圧
Ｖｒｅｆ  基準電圧
Ｖｒｅｑ  必要動作電圧
Ｖｔ  特定の値
Ｖｔ’  より高い値
【図１ｂ】
2013506399.tif 000003
【図１ｃ】
2013506399.tif 000004
【図１ｄ】
2013506399.tif 000005
【図１ｅ】
2013506399.tif 000006
【図５−１】
2013506399.tif 000007
【図５−２】
2013506399.tif 000008
2013506399.tif 000009
【図８−１】
2013506399.tif 000010
【図８−２】
2013506399.tif 000011
【図１ａ】
2013506399.tif 000012
【図２ａ】
2013506399.tif 000013
【図２ｂ】
2013506399.tif 000014
【図３】
2013506399.tif 000015
【図４】
2013506399.tif 000016
【図６】
2013506399.tif 000017
【図７】
2013506399.tif 000018
【手続補正書】
【提出日】平成24年5月30日(2012.5.30)
【手続補正１】
【補正対象書類名】特許請求の範囲
【補正対象項目名】全文
【補正方法】変更
【補正の内容】
【特許請求の範囲】
【請求項１】
誘導電力伝送器と誘導的に連結して第１の共振周波数を特徴とする誘導伝送システムを形成するように構成される受付回路を有する誘導電力レシーバであって、前記受付回路が、
（ａ）前記誘導電力伝送器と関連付けられる一次インダクタと誘導的に連結するように構成される少なくとも１個の二次インダクタと、
（ｂ）前記受付回路の出力電圧を調節するように構成されるレギュレータと、を備え、前記レギュレータが、
（ｉ）少なくとも１つの基準値と前記出力電圧を比較するように構成されるコンパレータと、
（ｉｉ）少なくとも１個の共振変更構成要素と、
（ｉｉｉ）前記コンパレータと接続され、および、前記出力電圧と第１の基準値との間の比較に基づいて、前記共振変更構成要素を前記受付回路に選択的に接続するように構成される少なくとも１個のスイッチユニットと、を備え、
前記誘導電力伝送器が、前記第１の共振周波数と有意に異なる伝送周波数で、前記一次インダクタ両端に駆動電圧を生成するように構成されることを特徴とする誘導電力レシーバ。
【請求項２】
前記共振変更構成要素が前記受付回路に接続される時、前記誘導伝送システムが前記第１の共振周波数と比べて前記伝送周波数に近い第２の共振周波数を有するように、前記共振変更構成要素が構成され、そして、
前記スイッチユニットが、前記コンパレータによって定まる、前記出力電圧が第１の基準値未満の時、前記共振変更構成要素を前記レシーバ回路に接続し、かつ、前記コンパレータによって定まる、前記出力電圧が前記第１の基準値より上にある時、前記共振変更構成要素を前記レシーバ回路から切り離すように構成されることを特徴とする請求項１に記載の誘導電力レシーバ。
【請求項３】
前記レギュレータが、前記コンパレータによって定まる、前記出力電圧が第２の基準値より高い時、前記二次インダクタを前記レシーバ回路から切り離し、かつ前記コンパレータによって定まる、前記出力電圧が前記第２の基準値より低い時、前記二次インダクタを前記レシーバ回路に接続するように更に構成され、そして、前記第２の基準値が前記第１の基準値より高いことを特徴とする請求項２に記載の誘導電力レシーバ。
【請求項４】
前記伝送周波数が前記第１の共振周波数より高く、および前記第２の共振周波数が前記第１の共振周波数より高いように、前記共振変更構成要素が選ばれることを特徴とする請求項１ないし３のうちいずれか一項に記載の誘導電力レシーバ。
【請求項５】
前記伝送周波数が前記第１の共振周波数より低く、および前記第１の共振周波数が前記第２の共振周波数より高いように、前記共振変更構成要素が選ばれることを特徴とする請求項１ないし３のうちいずれか一項に記載の誘導電力レシーバ。
【請求項６】
前記共振変更構成要素が、キャパシタおよびインダクタからなるグループから選択される少なくとも１個の部材を備えることを特徴とする請求項１ないし５のうちいずれか一項に記載の誘導電力レシーバ。
【請求項７】
前記共振変更構成要素が前記二次インダクタと並列に選択的に接続可能なキャパシタを備えることを特徴とする請求項１ないし５のうちいずれか一項に記載の誘導電力レシーバ。
【請求項８】
前記レギュレータが、少なくとも１個の電力ＭＯＳＦＥＴ、少なくとも１個のステップダウンＤＣ／ＤＣコンバータおよび少なくとも１個のＯリングダイオードを備える前記スイッチユニットからなるグループから選択される１個以上の部材を更に備えることを特徴とする請求項１ないし７のうちいずれか一項に記載の誘導電力レシーバ。
【請求項９】
前記一次インダクタ中の電流が円滑な半サイン波プロフィールを有するように、前記受付回路が前記二次インダクタの端子両端に接続されるキャパシタンス素子を更に備えることを特徴とする請求項１ないし８のうちいずれか一項に記載の誘導電力レシーバ。
【請求項１０】
請求項１ないし９のうちいずれか一項に記載の誘導電力レシーバを組み込む電気装置。
【請求項１１】
電話、メディアプレーヤ、ＰＤＡ、ウォークマン（登録商標）、ポータブル音楽プレーヤ、ディクタフォン、ポータブルＤＶＤプレーヤ、モバイル通信装置、スタンド式ランプ、ビデオレコーダ、ＤＶＤプレーヤ、文書細断機、扇風機、複写機、コンピュータ、プリンタ、調理機器、冷蔵庫、フリーザ、洗濯機、衣類乾燥機、重機、デスクランプ、環境照明ユニット、換気扇、無線電話、スピーカ、スピーカーホン、電話会議ベースユニット、電気鉛筆削り、電気ホッチキス、表示装置、電子ピクチャーフレーム、ＶＤＵ、プロジェクタ、テレビ、ビデオプレーヤ、ステレオ装置、計算機、スキャナ、ファックス装置、ホットプレート、電気加熱マグ、携帯電話、ヘアドライヤ、シェーバ、洗顔器、脱毛器、ヒータ、ワックス溶かし器、ヘアカーラー、顎髭トリッパ、体重計、照明およびラジオ、卵泡立て器、パン焼き器、ミキサー、オレンジジュース絞り器、野菜ジューサ、フードプロセッサ、電気ナイフ、トースタ、サンドイッチトースタ、ワッフルメーカー、電気バーベキューグリル、スロークッカー、ホットプレート、ディープフライヤ、電気フライパン、包丁研ぎ器、家庭用滅菌器、湯沸かし器、コーヒー沸かし器、ラジオ、カセットプレーヤ、ＣＤプレーヤおよび電気缶切り、ポップコーンメーカーおよび磁気撹拌器からなるグループから選択される請求項１０に記載の電気装置。
【請求項１２】
誘導電力伝送システムの受付回路からの出力電圧を調節するための一方法であって、前記方法が以下のステップ、すなわち
ステップ（ａ）−前記誘導電力伝送システムの第１の共振周波数と異なる伝送周波数で一次インダクタを駆動するステップ、
ステップ（ｂ）−前記受付回路と関連付けられる二次インダクタ両端に二次電圧を誘導するステップ、
ステップ（ｃ）−前記受付回路からの前記出力電圧を監視するステップ、
ステップ（ｄ）−第１の基準値と前記出力電圧を比較するステップ、および
ステップ（ｅ）−前記出力電圧が前記第１の基準値未満であるならば、前記誘導電力伝送システムの前記共振周波数が、前記伝送周波数により近くシフトするように、共振変更構成要素を前記受付回路に接続するステップ、を含む方法。
【請求項１３】
請求項１２に記載の方法であって、追加的なステップ、すなわち
ステップ（ｆ）−前記出力電圧が第２の基準値より上であるならば、前記二次インダクタを前記受付回路から切り離すステップ、を更に含む方法。
【請求項１４】
請求項１２または１３に記載の方法であって、追加的なステップ、すなわち
ステップ（ｇ）−前記出力電圧が前記第１の基準値に等しい時、前記共振変更構成要素を前記受付回路から切り離すステップ、を更に含む方法。
【請求項１５】
請求項１２ないし１４のうちいずれか一項に記載の方法であって、追加的なステップ、すなわち
ステップ（ｈ）−前記出力電圧が前記第２の基準値に等しい時、前記受付回路から前記二次インダクタを再接続するステップ、を更に含む方法。
【国際調査報告】
2013506399.tif 000019
2013506399.tif 000020
2013506399.tif 000021